【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
カバーを装置に接続するための蝶番組立体において、
片寄せ手段が取付けられるように構成されるボス部材と、
前記装置に回転可能に取付けられるように構成されるカバー接続部材と、
を備え、
前記カバー接続部材は、前記片寄せ手段の少なくとも一部と相互作用するように構成さるカム手段を有する第１の部分と、接続手段によって前記カバーに直接接続されるように構成される第２の部分とを有しており、
前記接続手段は、前記第２の部分と前記カバーに形成された相補形状の雄型及び雌型のコネクタを有している、
ことを特徴とする蝶番組立体。
【請求項２】
前記片寄せ手段が捻りばねを有することを特徴とする請求項１に記載の蝶番組立体。
【請求項３】
前記装置が側壁を備え、前記カバー接続部材が前記側壁の孔を通って突き出すことを特徴とする請求項２に記載の蝶番組立体。
【請求項４】
前記捻りばねが、円形部分と、互いに略平行な一対の細長い部分とを有することを特徴とする請求項２に記載の蝶番組立体。
【請求項５】
前記ボス部材が本体部分および拡大端部を有し、
前記捻りばねの前記円形部分が前記ボス部材の前記本体部分に設置されるように、前記捻りばねが前記ボス部材に取付けられるよう構成されており、
前記捻りばねが前記ボス部材から不意に離れるのを前記拡大端部が妨げることを特徴とする請求項４に記載の蝶番組立体。
【請求項６】
前記接続部材の前記カム手段が第１および第２の対になった対向する平行の表面を有することを特徴とする請求項１に記載の蝶番組立体。
【請求項７】
前記第１および第２の対になった対向する表面が互いに垂直であることを特徴とする請求項６に記載の蝶番組立体。
【請求項８】
隣接する第１および第２の表面がそれぞれ曲がった接合表面により接合されることを特徴とする請求項６に記載の蝶番組立体。
【請求項９】
前記接続部材の前記第１の部分が、前記捻りばねに係合して前記接続部材が前記側壁に形成される孔から不意に外れるのを妨げる手段を有することを特徴とする請求項２に記載の蝶番組立体。
【請求項１０】
前記係合手段が、前記カム手段に隣接する拡大部分であって、前記接続部材が前記側壁に形成される孔を通って戻らないように前記捻りばねの一部に接触するよう構成される拡大部分を有することを特徴とする請求項９に記載の蝶番組立体。
【請求項１１】
前記接続部材の前記第２の部分が第１および第２の円筒形部分を有することを特徴とする請求項１に記載の蝶番組立体。
【請求項１２】
前記装置の側壁に設けられる孔が、前記接続部材が孔の中で回転できるように前記接続部材の前記第１および第２の円筒形部分を受けるよう構成されることを特徴とする請求項１０に記載の蝶番組立体。
【請求項１３】
前記第１の円筒形部分が前記カム手段に隣接して配置されることを特徴とする請求項１１に記載の蝶番組立体。
【請求項１４】
前記第１の円筒形部分の直径が前記第２の円筒形部分の直径と比較して小さいことを特徴とする請求項１１に記載の蝶番組立体。
【請求項１５】
雄型コネクタが前記カバーに配置され、十字形または一の字形の断面を有することを特徴とする請求項１４に記載の蝶番組立体。
【請求項１６】
前記カバーに配置される前記コネクタは、前記カバーから突出する蝶番部材に配置されることを特徴とする請求項１に記載の蝶番組立体。
【請求項１７】
前記ボス部材および前記接続部材がプラスチック材料から作られることを特徴とする請求項１に記載の蝶番組立体。
【請求項１８】
対向する側壁を有する装置と、少なくとも一つの蝶番組立体によって前記装置に接続されるように構成されるカバーと、を備える組立体において、
前記少なくとも一つの蝶番組立体が、捻りばねが取付けられるように構成されるボス部材と、前記側壁の一方に取付けられるよう構成されるカバー接続部材とを有しており、
前記接続部材が、前記捻りばねの少なくとも一部と相互作用するように構成されるカム手段を有する第１の部分と、接続手段により前記カバーに直接接続されるように構成される第２の部分とを有しており、
前記接続手段が、前記第２の部分及び前記カバーに形成された相補形状の雄型及び雌型のコネクタを有している、
ことを特徴とする組立体。
【請求項１９】
一対の蝶番組立体が前記カバーを前記装置に接続するために設けられることを特徴とする請求項１８に記載の組立体。
【請求項２０】
カバーを装置に接続するための蝶番組立体において、
前記カバーは完全に開いた位置と完全に閉じた位置との間を移動するように構成され、
前記蝶番組立体は、前記カバーを前記装置に接続するように構成されるカバー接続部材、および前記接続部材の一部と係合して前記カバーを、前記接続部材の向きにより、前記完全に開いた位置または前記完全に閉じた位置のいずれかの方に片寄せるよう構成される片寄せ手段と、を有しており、
前記接続部材が、前記捻りばねの少なくとも一部と相互作用するように構成されるカム手段を有する第１の部分と、接続手段により前記カバーに直接接続されるように構成される第２の部分とを有しており、
前記接続手段が、前記第２の部分及び前記カバーに形成された相補形状の雄型及び雌型のコネクタを有している、
ことを特徴とする蝶番組立体。
【請求項２１】
前記片寄せ手段が捻りばねを有することを特徴とする請求項２０に記載の蝶番組立体。
【請求項２２】
前記カム手段が中立位置またはトグル位置を有し、前記カム手段が中立位置またはトグル位置を越えて回転すれば、前記カバー接続手段が前記カバーを完全に開いた位置に移動させることを特徴とする請求項１に記載の蝶番組立体。
【請求項２３】
前記カム手段の前記中立位置またはトグル位置が、前記カム手段のカム面が、前記接続部材の一部に係合する片寄せ手段の一部に略平行に伸びる仮想水平線に対して略９０度の角度に設置されたとき生ずることを特徴とする請求項２２に記載の蝶番組立体。
【請求項２４】
前記カバーが完全に開いた位置にあるとき、前記カバーが前記仮想水平線に対して略１２０度の角度にあることを特徴とする請求項２３に記載の蝶番組立体。
【請求項２５】
前記対向する側壁の少なくとも一方に取付けられ、前記カバーが必要とされる完全に開いた位置に到達したら、前記カバーが移動しないようにするストッパを有することを特徴とする請求項２０に記載の蝶番組立体。
【請求項２６】
前記カバー接続部材が、前記装置を保持するように設けられた枠の側壁に形成された孔に取付けられるよう構成されることを特徴とする請求項２０に記載の蝶番組立体。
【請求項２７】
カバーを装置に接続するための蝶番組立体において、
前記装置は第１及び第２の対になった対向する側壁を有しており、
前記組立体は、前記第１の側壁の一つに取り付けられるように構成されるボス部材と、前記ボス部材に取り付けられるように構成される片寄せ手段と、前記第１の側壁の一つに形成された孔に回転可能に取り付けられるように構成されるカバー接続部材と、を有しており、
前記カバー接続部材は、前記片寄せ手段の少なくとも一部に接触するように構成されるカム手段を有する第１の部分と、接続手段により前記カバーに直接接続されるように構成される第２の部分とを有しており、
前記接続手段は、前記第２の部分及び前記カバーに形成された相補形状の雄型及び雌型のコネクタを有している、
ことを特徴とする蝶番組立体。
【請求項２８】
前記ボス部材は、前記第１の側壁の一つに取り付けられるように構成される取付け板とヘッド部を有しており、
前記取付け板は前記第１の部分が通って突き出すことができる寸法の孔を有している、
ことを特徴とする請求項２７に記載の蝶番組立体。